(57)【要約】【課題】誤操作による蓋の開放を確実に防止でき、かつ容器本体に対する操作部材やロック部材の取り付けも容易に行える蓋付き容器を提供する。【解決手段】容器本体２と、その取出口１０を開閉できるように容器本体２に取り付けられた上蓋４と、上蓋４を開く方向に付勢する板ばね５と、上蓋４と噛み合って上蓋４を板ばね５に抗して閉じた状態に保持する閉位置と、上蓋４との噛み合いが解除される開位置との間で操作可能なプッシュボタン６とを備えた蓋付き容器１において、プッシュボタン６には閉じた状態の上蓋４を拘束するとともにプッシュボタン６の操作方向に関して容器本体２の係止面２５ｂと当接してプッシュボタン６の開位置への操作を不能とするロック位置と、上蓋４及び容器本体２の係止面２５ｂから離れてプッシュボタン４の閉位置から開位置への操作を許容する解除位置との間で移動可能なロック部材７が取り付けられる。【選択図】図１
2011168341.tif 000002
【特許請求の範囲】
【請求項１】
内容物の取出口を有する容器本体と、前記取出口を開閉できるようにして前記容器本体に取り付けられた蓋と、前記容器本体と前記蓋との間に配置されて前記蓋を開く方向に付勢する蓋付勢手段と、前記蓋と噛み合って該蓋を前記蓋付勢手段に抗して閉じた状態に保持する閉位置と、前記蓋との噛み合いが解除される開位置との間で操作可能な状態で前記容器本体に取り付けられた操作部材と、を備えた蓋付き容器において、
前記操作部材には、前記閉じた状態の前記蓋を拘束するとともに、前記操作部材の操作方向と同一方向の移動が阻止されるように前記容器本体の係止面と当接して前記操作部材の前記閉位置から前記開位置への操作を不能とするロック位置と、前記閉じた状態の蓋及び前記容器本体の前記係止面のそれぞれから離れて前記操作部材の前記閉位置から前記開位置への操作を許容する解除位置との間で移動可能なロック部材が取り付けられ、
前記ロック部材は前記操作部材に設けられた操作面の裏面側にて前記ロック位置と前記解除位置との間を移動可能に設けられ、かつ前記操作部材は前記操作面を押し込むことによって前記閉位置から前記開位置へ移動するように設けられ、
前記操作部材の裏面側には、前記ロック部材と接する案内面が形成されるとともに前記案内面よりも突出して前記操作部材を前記閉位置に付勢するばね部が設けられ、前記ロック部材は前記ばね部に設けられた溝部に差し込まれることにより前記案内面に接しつつ前記ロック位置と前記解除位置との間をスライド可能に支持されていることを特徴とする蓋付き容器。
【請求項２】
前記操作部材の前記操作面は前記容器本体の外面側に露出していることを特徴とする請求項１に記載の蓋付き容器。
【請求項３】
前記ロック部材は前記操作面を押し込む方向と同一方向について前記操作部材に対する相対移動が阻止されるように前記操作部材にて支持された状態で前記ロック位置と前記解除位置との間を移動可能に設けられていることを特徴とする請求項２に記載の蓋付き容器。
【請求項４】
前記操作部材の前記溝部からの前記ロック部材の抜けを防止する抜け止め手段が設けられていることを特徴とする請求項１に記載の蓋付き容器。
【請求項５】
前記操作部材の裏面側にはスリットにて分割された軸部が設けられ、前記ロック部材には前記軸部と嵌合する溝部が前記操作部材の前記溝部に対する前記ロック部材の差し込み方向に開口するようにして形成され、前記溝部には前記抜け止め手段として当該溝部の幅を狭める爪部が設けられていることを特徴とする請求項４に記載の蓋付き容器。
【請求項６】
前記ロック部材の前記溝部は、前記爪部により、前記ロック部材が前記解除位置にあるときに前記軸部が嵌合する第１保持部と、前記ロック部材が前記ロック位置にあるときに前記軸部が嵌合する第２保持部とに区分されていることを特徴とする請求項５に記載の蓋付き容器。
【請求項７】
前記操作部材の裏面側には段部が設けられ、前記ロック部材の前記操作部材に対する対向面上には、前記抜け止め手段として、前記ロック部材を前記操作部材の前記溝部から抜き取る方向に関しては前記段部と係合可能であり、かつ前記ロック部材を前記操作部材の前記溝部に差し込む方向に関してはくさび状に延びている突起状のストッパが設けられていることを特徴とする請求項４に記載の蓋付き容器。
【請求項８】
前記ロック部材には、前記抜け止め手段として、前記操作部材の前記溝部からの当該ロック部材の抜き取り方向に向かうほど前記抜き取り方向に対する側方に突出する爪部が設けられていることを特徴とする請求項４に記載の蓋付き容器。
【請求項９】
前記ロック部材には、前記操作部材の前記溝部に対する抜き取り方向の端部に位置して前記操作面から突出する指掛け部が設けられていることを特徴とする請求項１〜８のいずれか１項に記載の蓋付き容器。
【請求項１０】
前記指掛け部が前記容器本体の外面よりも突出していることを特徴とする請求項９に記載の蓋付き容器。
【請求項１１】
前記容器本体は前記取出口側から見て中央がくびれた形状に形成され、そのくびれ部分に前記操作部材が配置されていることを特徴とする請求項１０に記載の蓋付き容器。
【請求項１２】
前記ロック部材の裏面側には、前記ロック位置のときに前記容器本体の前記係止面に当接する脚部が設けられていることを特徴とする請求項１〜８のいずれか１項に記載の蓋付き容器。
【請求項１３】
前記蓋が前記閉じた状態にあるときに前記操作部材と対向する当該蓋の前縁部にはその周囲の面としての前記操作部材側の前記前縁部の面より後退して形成された一端が閉じた又は両端が開口したロック用凹部が設けられ、前記ロック部材には、前記蓋を閉じて当該ロック部材を前記ロック位置に移動させたときに前記ロック用凹部に差し込まれ、前記ロック部材を前記解除位置に移動させたときに前記ロック用凹部から脱出する係止部が設けられていることを特徴とする請求項１〜１２のいずれか１項に記載の蓋付き容器。
【請求項１４】
前記操作部材又は前記ロック部材には、前記操作部材を前記閉位置から前記開位置へ操作したときに前記蓋と接して当該蓋を開く方向に押し上げる押し上げ部が設けられていることを特徴とする請求項１〜１３のいずれか１項に記載の蓋付き容器。
【請求項１５】
前記容器本体にはストラップを取付け可能なストラップ取付部が設けられていることを特徴とする請求項１〜１４のいずれか１項に記載の蓋付き容器。
【請求項１６】
前記操作部材又は前記ロック部材の少なくともいずれか一方には蓄光材料が含まれていることを特徴とする請求項１〜１５のいずれか１項に記載の蓋付き容器。
【発明の詳細な説明】
【技術分野】
【０００１】
本発明は、容器本体の天面等に設けられた開閉式の蓋を操作部材の押し込み操作によって開くようにした蓋付き容器に関する。
【背景技術】
【０００２】
袋詰めされたウエットティッシュの容器として、容器本体に対して押し込み操作可能な操作部材を装着し、その操作部材とウエットティッシュの取出口を閉じる蓋とを噛み合わせて蓋を閉位置に拘束し、操作部材の押し込み操作によって操作部材と蓋との噛み合いを外して蓋を開放させるワンプッシュ式の蓋付き容器が知られている（特許文献１参照）。また、操作部材が容器本体と一体に成形された蓋付き容器において、誤操作による蓋の開放を防ぐために、操作部材の押し下げ操作を不可能とする係止機構を組み込んだ蓋付き容器も知られている（特許文献２参照）。さらに、操作部材が容器本体と一体に成形された蓋付き容器において、操作部材の押し込み操作に伴って蓋をその下面側から押し上げる押圧部材が操作部材に設けられているものが知られている（特許文献３参照）。
【先行技術文献】
【特許文献】
【０００３】
【特許文献１】特開平９−５８７２５号公報
【特許文献２】特開２００１−１４６２４７号公報
【特許文献３】特開２０００−２５８０５号公報
【発明の概要】
【発明が解決しようとする課題】
【０００４】
特許文献２に記載の係止機構は、押し込み操作される操作部材とは別部品として製造されたロック部材としてのスライダを容器本体に装着し、そのスライダを操作部材に対して係脱させて操作部材のロック及びその解除を切り替えている。しかし、スライダが蓋に対して直接作用していないので、操作部材の弾性変形の程度によっては操作部材と蓋との噛み合いが外れて蓋が開くおそれがある。また、操作部材が容器本体に対して別部品として設けられている場合には、操作部材及びロック部材を容器本体に対してそれぞれ別々に組み付ける必要が生じ、容器の組み立てに手間がかかる。
【０００５】
そこで、本発明は、誤操作による蓋の開放を確実に防止でき、かつ容器本体に対する操作部材やロック部材の取り付けも容易に行える蓋付き容器を提供することを目的とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
本発明の蓋付き容器（１）は、内容物の取出口（１０）を有する容器本体（２）と、前記取出口を開閉できるようにして前記容器本体に取り付けられた蓋（４）と、前記容器本体と前記蓋との間に配置されて前記蓋を開く方向に付勢する蓋付勢手段（５）と、前記蓋と噛み合って該蓋を前記蓋付勢手段に抗して閉じた状態に保持する閉位置と、前記蓋との噛み合いが解除される開位置との間で操作可能な状態で前記容器本体に取り付けられた操作部材（６）とを備えた蓋付き容器において、前記操作部材には、前記閉じた状態の前記蓋に対して前記蓋が開く方向とは反対の前記蓋付勢手段に付勢された前記蓋に対して前記蓋を前記閉じた状態にする方向から前記蓋と噛み合うとともに、前記操作部材の前記閉位置から前記開位置への操作方向としての前記操作部材の前記開位置から前記閉位置へ向かう方向から前記容器本体の係止面に当接して前記操作部材の前記閉位置から前記開位置への操作を不能とするロック位置と、前記閉じた状態の蓋及び前記容器本体の前記係止面のそれぞれから離れて前記操作部材の前記閉位置から前記開位置への操作を許容する解除位置との間で移動可能なロック部材（７）が取り付けられ、前記ロック部材は前記操作部材に設けられた操作面（３０ａ）の裏面側にて前記ロック位置と前記解除位置との間を移動可能に設けられ、かつ前記操作部材は前記操作面を押し込むことによって前記閉位置から前記開位置へ移動するように設けられ、前記操作部材の裏面側には、前記ロック部材と接する案内面（３０ｂ）が形成されるとともに前記案内面よりも突出して前記操作部材を前記閉位置に付勢するばね部（３２）が設けられ、前記ロック部材は前記ばね部に設けられた溝部（３７）に差し込まれることにより前記案内面に接しつつ前記ロック位置と前記解除位置との間をスライド可能に支持されることにより、上述した課題を解決する。
【０００８】
この発明によれば、ロック部材をロック位置に移動させることにより、操作部材の開位置への操作が不能となり、蓋の意図しない開放が防止される。ロック位置ではロック部材が蓋を拘束するので、ロック部材により操作部材のみを拘束する場合と比較して蓋の開放防止効果が高まる。ロック部材を操作部材に取り付けているので、容器本体への取付前に操作部材とロック部材とを予め組み立てておくことができ、容器本体への装着時の手間が軽減される。ロック部材は操作面の裏面側に設けられているので、ロック部材を操作面の背後に隠して目立たないようにすることができる。操作部材の裏面側に設けられたばね部の一部に溝部を形成してロック部材を差し込めば、操作面に対する裏面側においてロック部材が案内面に沿って摺動可能に保持される。
【０００９】
本発明の蓋付き容器において、前記操作部材の前記操作面は前記容器本体の外面側に露出していてもよい。この場合には操作面を容器の外面側に十分に露出させることができ、その操作性が損なわれない。
【００１０】
前記ロック部材は前記操作面を押し込む方向と同一方向について前記操作部材に対する相対移動が阻止されるように前記操作部材にて支持された状態で前記ロック位置と前記解除位置との間を移動可能に設けられてもよい。この場合には、操作部材の押し込み方向に関して操作部材とロック部材とを一体的に変位（移動）させることができる。従って、ロック部材を介して操作部材を開位置へと押し込むこともできる。
【００１１】
前記操作部材の裏面側には、前記ロック部材と接する案内面（３０ｂ）が形成されるとともに前記案内面よりも突出して前記操作部材を前記閉位置に付勢するばね部（３２）が設けられ、前記ロック部材は前記ばね部に設けられた溝部（３７）に差し込まれることにより前記案内面に接しつつ前記ロック位置と前記解除位置との間をスライド可能に支持されてもよい。
【００１２】
前記操作部材の前記溝部からの前記ロック部材の抜けを防止する抜け止め手段（４３ａ、４３ｂ、４５、４７）が設けられてもよい。抜け止め手段を設けることにより、誤操作によるロック部材の脱落を防止できる。
【００１３】
前記操作部材の裏面側にはスリット（３５ａ）にて分割された軸部（３５）が設けられ、前記ロック部材には前記軸部と嵌合する溝部（４２）が、前記操作部材の前記溝部に対する前記ロック部材の差し込み方向に開口するようにして形成され、前記溝部には前記抜け止め手段として当該溝部の幅を狭める爪部（４３ａ、４３ｂ）が設けられてもよい。この態様によれば、ロック部材を操作部材の溝部に差し込む際にロック部材側の爪部と軸部とを接触させて軸部をそのスリットが狭められるようにして径が縮まる方向に弾性変形させ、爪部を乗り越えた後は弾性復元力で軸部を元の径に戻すことができる。ロック部材を操作部材から抜くにはスリットを狭めるように軸部を弾性変形させる必要があり、軸部が適度に抜け止めされる。
【００１４】
前記ロック部材の前記溝部は、前記爪部により、前記ロック部材が前記解除位置にあるときに前記軸部が嵌合する第１保持部（４２ａ）と、前記ロック部材が前記ロック位置にあるときに前記軸部が嵌合する第２保持部（４２ｂ）とに区分されてもよい。この場合には軸部を第１保持部又は第２保持部のいずれに嵌合させるかによって、ロック部材を解除位置又はロック位置に適当な力で保持することができる。
【００１５】
前記操作部材の裏面側には段部（３８）が設けられ、前記ロック部材の前記操作部材に対する対向面（４０ａ）上には、前記抜け止め手段として、前記ロック部材を前記操作部材の前記溝部から抜き取る方向に関しては前記段部と係合可能であり、かつ前記ロック部材を前記操作部材の前記溝部に差し込む方向に関してはくさび状に延びている突起状のストッパ（４５）が設けられてもよい。この態様によれば、ロック部材を操作部材の溝部に差し込む際にはくさび状のストッパにより操作部材の溝部が徐々に拡大されてストッパが溝部を通過することができる。その後にロック部材を操作部材から抜き取る方向に移動させると、ストッパが段部と係合してロック部材が抜け止めされる。
【００１６】
前記ロック部材には、前記抜け止め手段として、前記操作部材の前記溝部からの当該ロック部材の抜き取り方向に向かうほど前記抜き取り方向に対する側方に突出する爪部（４７）が設けられてもよい。この態様によれば、ロック部材を操作部材の溝部に差し込む際には爪部が内側に弾性変形して溝部を通過する。その後にロック部材を操作部材から抜き取る方向に移動させると、爪部が外側に弾性変形して操作部材の溝部を通過できないようになり、それによりロック部材が抜け止めされる。
【００１７】
前記ロック部材には、前記操作部材の前記溝部に対する抜き取り方向の端部に位置して前記操作部材の前記操作面から突出する指掛け部（４１）が設けられてもよい。このように指掛け部を設けたならば容器の外面側からロック部材を容易に操作することができる。さらに、前記指掛け部を前記容器本体の外面よりも突出させた場合にはロック部材を一層容易に操作することができる。ロック位置から解除位置へロック部材を移動させた場合にはロック部材が蓋から離れて指掛け部が操作部材から一層大きく引き出されるので、その指掛け部を押し込み操作することにより、テコの作用で操作部材の押し込み力を軽減し、蓋を軽い力で開けることができる。
【００１８】
前記容器本体は前記取出口側から見て中央がくびれた形状に形成され、そのくびれ部分に前記操作部材が配置されてもよい。容器本体にくびれ形状を与えることにより、容器本体を掴みやすくなる。また、くびれ部分を含むようにして容器本体の外周にシュリンクフィルム等を巻き付けて容器を包装した場合には、くびれ部分でフィルムが容器本体から浮き上がり、その内側に配置された操作部材やロック部材がフィルムから離れてフィルムの擦れによる損傷が防がれる。ロック部材をロック位置に保持しておけば、仮にフィルムによってロック部材の指掛け部や操作部材が押し込まれたとしても、操作部材が開位置へ移動するおそれがない。特に操作部材の裏面側にばね部が設けられている場合には、包装状態における操作部材の開位置への移動を阻止することにより、ばね部のへたりによるばね性能の劣化を防止することができる。
【００１９】
前記ロック部材の裏面側には、前記ロック位置のときに前記容器本体の前記係止面（２５ｂ）に当接する脚部（４６）が設けられてもよい。脚部を係止面に接触させることにより、ロック部材がロック位置にあるときに操作部材が押し込み不可能となる。
【００２０】
前記蓋が前記閉じた状態にあるときに前記操作部材と対向する当該蓋の前縁部にはその周囲の面としての前記操作部材側の前記前縁部の面より後退して形成された一端が閉じた又は両端が開口したロック用凹部（４ｊ）が設けられ、前記ロック部材には、前記蓋を閉じて当該ロック部材を前記ロック位置に移動させたときに前記ロック用凹部に差し込まれ、前記ロック部材を前記解除位置に移動させたときに前記ロック用凹部から脱出する係止部（４４）が設けられてもよい。ロック位置への移動に伴って係止部を蓋のロック用凹部に差し込めば、ロック部材により蓋の開放を確実に防止することができる。差し込み量を十分に確保することにより、蓋や操作部材の弾性変形があっても蓋を確実に閉じた状態に保持できる。
【００２１】
前記操作部材又は前記ロック部材には、前記操作部材を前記閉位置から前記開位置へ操作したときに前記蓋と接して当該蓋を開く方向に押し上げる押し上げ部（３４）が設けられてもよい。この態様によれば、蓋と容器本体との間に内容物が噛み込む等して蓋を開ける際の抵抗が増加しているときでも、蓋を押し上げて確実に開けることができる。
【００２２】
前記容器本体にはストラップ（１１０）を取付け可能なストラップ取付部（１４）が設けられてもよい。ストラップを取り付けることにより、容器本体を水平面上に据え置かれる態様に限らず、壁等に沿って吊り下げた態様で保管することができる。
【００２３】
前記操作部材又は前記ロック部材の少なくともいずれか一方には蓄光材料が含まれてもよい。これらの部材に蓄光材料を含めることにより、暗所では蓋を開ける際の操作部分が発光するようになり、使用者が容易に蓋を開けられる。また、操作部材やロック部材は蓋や容器本体に比して小型で体積が小さいので、これらに蓄光材料を混ぜたとしてもその混入量は少なく、コスト面で有利である。
【発明の効果】
【００２４】
以上説明したように、本発明によれば、ロック部材をロック位置に移動させることにより、操作部材の開位置への操作が不能となり、しかも、ロック位置ではロック部材が蓋を拘束するので、誤操作等による蓋の意図しない開放を確実に防止することができる。ロック部材を操作部材に取り付けているので、容器本体への取付前に操作部材とロック部材とを予め組み立てておくことができ、容器本体への装着時の手間を軽減して操作部材及びロック部材を容器本体に容易に装着できるようになる。
【図面の簡単な説明】
【００２５】
【図１】本発明の一実施形態に係る容器の外観を示す斜視図であり、（ａ）は上蓋を閉じた状態を、（ｂ）は上蓋を開いた状態をそれぞれ示す。
【図２】蓋付き容器の平面図。
【図３】蓋付き容器の底面図。
【図４】蓋付き容器の右側面図。
【図５】上蓋を開いたときの平面図。
【図６】図２のVI−VI線に沿った断面図。
【図７】図２のVII−VII線に沿った断面図。
【図８】図５のVIII−VIII線に沿った断面図。
【図９】図６のIX部の拡大図。
【図１０】図６のＸ部の拡大図。
【図１１】プッシュボタンの平面図。
【図１２】プッシュボタンの正面図。
【図１３】プッシュボタンの底面図。
【図１４】ロックの平面図。
【図１５】ロックの前後方向の断面図とその部分拡大図。
【図１６】プッシュボタンにロックを装着した状態を斜め下方からみた斜視図。
【図１７】蓋付き容器に内蔵されるウエットティッシュの梱包物の断面図。
【発明を実施するための形態】
【００２６】
図１は本発明の一実施形態に係る容器の外観を示す斜視図であり、（ａ）は上蓋を閉じた状態を、（ｂ）は上蓋を開いた状態をそれぞれ示している。また、図２は平面図、図３は底面図、図４は右側面図、図５は上蓋を開いたときの平面図、図６は図２のVI−VI線に沿った断面図、図７は図２のVII−VII線に沿った断面図、図８は図５のVIII−VIII線に沿った断面図である。
【００２７】
これらの図に示すように、蓋付き容器１は、容器本体２と、その容器本体２の底面側の開口部を閉じる底蓋３と、容器本体２の天面２ａ側（図１において上面側）に配置される上蓋４と、上蓋４を開くために操作される操作部材としてのプッシュボタン６と、そのプッシュボタン６を拘束するためのロック部材としてのロック７とを備えている。容器本体２、底蓋３、上蓋４、プッシュボタン６及びロック７は樹脂成形品である。容器本体２から底蓋３を取り外すと容器本体２の底面はほぼ全面的に開口し、その開口から容器本体２の内部にウエットティッシュの梱包物を装着することができる。
【００２８】
ここで梱包物について説明する。図１７に示すように、梱包物１００は、シール性を有する袋１０１の内部に、内容物としての多数枚のウエットティッシュ１０２…１０２を、開口１０３から所定枚数ずつ（例えば一枚ずつ）連続的に取り出せるように折り畳んで収容して構成されている。開口１０３はシール１０４にて塞がれており、そのシール１０４は使用時（すなわち、容器１への収容時）に剥がされる。
【００２９】
図１（ｂ）から明らかなように、容器本体２の上部には取出口１０が形成されている。その取出口１０からは容器１内の梱包物１００に収容されたウエットティッシュ１０２を所定枚数ずつ引き出すことができる。周知のように、取出口１０には、ウエットティッシュ１０２の取り出しに伴って引き上げられる次のウエットティッシュ１０２の端部を保持するためのフラップ１１が設けられている。フラップ１１の形状は図示のものに限らず、種々変更してよい。梱包物１００の開口１０３にフラップ１１と同等の機能が備えられているときはフラップ１１を省略してもよい。
【００３０】
次に、容器１の外観的特徴を説明する。図２及び図３から明らかなように、容器本体２は上下方向からみて左右方向の両端部よりも中央部がくびれた形状に形成されており、底蓋３もその容器本体２に倣って中央部がくびれた形状に形成されている。プッシュボタン６はそのくびれ部分に配置されている。このようなくびれ形状を容器１に与えることにより、容器１の中央部を掴み易くなる利点がある。容器本体２の外周にはスタックライン１３が設けられている。スタックライン１３は、容器本体２の側面２ｂ〜２ｅの下部を所定量だけ外側に突出させて形成されている。スタックライン１３は、複数の容器本体２を上下に積み重ねたときに上側の容器本体２の下端と係合して容器本体２同士の間に適切な隙間を生じさせる。
【００３１】
図１から明らかなように、容器本体２の右側面２ｄにはストラップ取付部としてのリング部１４が設けられている。リング部１４にはストラップ１１０を結び付けることができる。ストラップ１１０を取り付けることにより、容器１をフック等に引っ掛けて吊り下げておくことができる。例えばウエットティッシュ１０２を乳児に使用する場合には容器１をベビーベッドに引っ掛けて保管することができる。なお、図２以下においてはリング部１４の図示を省略した。リング部１４は図１に示す位置に限らず、適宜の位置に設けてよい。
【００３２】
次に、上蓋４及びその開閉に拘わる部分の構成を説明する。上蓋４は、その後端部４ｂの両端に設けられた回動軸４ｃ（図９参照）が容器本体２に回動自在に嵌め合わされることにより、取出口１０を開閉できるように設けられている。上蓋４の上面４ａには、上蓋４が閉じられたときに容器本体２の天面２ａと上蓋４の上面４ａとが一体的に連続する曲面を描くように膨らみが付されている（図４参照）。図１（ｂ）、図６及び図８に示すように、容器本体２と上蓋４との間には上蓋４を開く方向に付勢する蓋付勢手段としての板ばね５が設けられている。板ばね５は好適には天然又は合成ゴム等の弾性部材にて構成される。但し、本発明の容器はこれらの材質にて構成されたものに限定されない。例えば、ゴム素材に代えばね鋼等を利用して板ばね５を形成してもよい。蓋付勢手段は板状のものに限らない。
【００３３】
図９に詳しく示したように、板ばね５の一端は容器本体２の板ばね装着孔２ｆに固定され、他端は上蓋４のばね取付軸４ｄにキャップ１５を介して取り付けられている。上蓋４が閉じた状態で、板ばね５は容器本体２のばね収容溝２ｇにループを描くように曲げられて収容されている。上蓋４が開かれると板ばね５が延び、その弾性復元力により上蓋４はほぼ直立した状態に保持される（図８参照）。
【００３４】
容器本体２の天面２ａには上蓋４の外周と形状を合わせて第１凹部（天面側凹部）２１が形成され、その第１凹部２１の内部にはさらに一段低められた第２凹部２２が設けられている。上述した取出口１０及びフラップ１は第２凹部２２の底板２２ａに形成されている。図１（ｂ）に示されているように、上蓋４の裏面４ｅには第２凹部２２と対応した楕円状又は長円状の閉鎖リブ４ｆが形成されている。上蓋４を閉じたとき、この閉鎖リブ４ｆが第２凹部２２の側壁２２ｂの直ぐ内側に入り込むことにより、取出口１０の周囲が閉鎖リブ４ｆ及び側壁２２ｂにて二重に取り囲まれ、容器１の取出口１０の周囲に関して実用上十分な密封性が確保される。
【００３５】
図１（ｂ）及び図５に示すように、上蓋４の前端中央には上蓋４を閉じた状態に保持するための爪部４ｈが形成されている。また、上蓋４の爪部４ｈの直下にはロック用凹部としてのロック孔４ｊが形成されている。なお、ロック孔４ｊは一端が閉じた穴部として形成されてもよい。さらに、爪部４ｈの両側には切欠４ｋが形成されている。これらの爪部４ｈ、ロック孔４ｊ及び切欠４ｋはプッシュボタン６及びロック７に対応して設けられている。以下、プッシュボタン６及びロック７について説明する。
【００３６】
図１１〜図１３はプッシュボタン６の詳細を示しており、図１１は平面図、図１２は正面図、図１３は底面図である。これらの図に示すように、プッシュボタン６は操作面３０ａを有する板状の本体部３０と、その本体部３０の両端から突出する支軸３１と、本体部３０の裏側の案内面３０ｂから弓状に突出するばね部３２と、本体部３０の後縁部３０ｃの中央に配置された爪部３３と、その爪部３３の両側に設けられた押し上げ部３４と、爪部３３とばね部３２との間に配置された軸部３５と、案内面３０ｂから延びる一対の補強用のリブ３６とを備えている。ばね部３２の案内面３０ｂに対する接合部分（基端部）にはロック７を差し込むための溝部３７が形成されている。また、軸部３５はロック７の差し込み方向に延びるスリット３５ａにより二分割されている。さらに、本体部３０の案内面３０ｂの一端（ロック７が差し込まれる方向の端部）には段部３８が形成されている（図１０参照）。
【００３７】
一方、図１４及び図１５（ａ）に示すように、ロック７は、板状の本体部４０と、その本体部４０の前端に設けられた指掛け部４１とを備えている。本体部４０の厚みｔはプッシュボタン６の溝部３７を通過できる範囲で最大限に大きく設定されている。本体部４０の後端中央にはプッシュボタン６の軸部３５を受入れるべくプッシュボタン６に対するロック７に差し込み方向（図１０及び図１６の矢印Ａ方向）に開口する溝部４２が設けられている。その溝部４２の入口及び中間には溝部４２の幅を狭める爪部４３ａ、４３ｂがそれぞれ左右一対ずつ形成されている。これらの爪部４３ａ、４３ｂにより溝部４２の内部は第１保持部４２ａと第２保持部４２ｂとに区分されている。
【００３８】
溝部４２の入口の両側には係止部４４が形成されている。さらに、本体部４０の上面４０ａには一対のストッパ４５が形成され、下面４０ｂには一対の脚部４６が形成されている。脚部４６の下面４０ｂからの突出量は指掛け部４１の下面４０ｂからの突出量とほぼ等しい。図１５（ｂ）に示すように、ストッパ４５は係止部４４に向かって下り勾配を描いて延びるくさび面４５ａと、頂面４５ｂと、その頂面４５ｂに対してほぼ直交する係止面４５ｃとを有している。
【００３９】
図１６に示すように、ロック７は、その本体部４０を係止部４４側からプッシュボタン６の溝部３７に押し込み、かつロック７の溝部４２にプッシュボタン６の軸部３５を嵌め込むことにより、プッシュボタン６の案内面３０ｂとほぼ密着した状態でプッシュボタン６に装着される。ロック７をプッシュボタン６に装着する際にプッシュボタン６の軸部３５はロック７の溝部４２に形成された爪部４３ａを乗り越えて第１保持部４２ａに嵌り合う。ストッパ４５が溝部３７を通過する際にはくさび面４５ａに沿って溝部３７が徐々に拡大し、ストッパ４５が段部３８を越えると溝部３７が元の幅に戻る。これにより、ロック７がプッシュボタン６に対して抜け止めされる。
【００４０】
軸部３５が第１保持部４２ａに嵌った状態でロック７を差し込み方向にさらに押し込めば、軸部３５がロック７の爪部４３ｂを乗り越えて第２保持部４２ｂに嵌り合う。このようにして、ロック７はプッシュボタン６の案内面３０ｂに沿って第１保持部４２ａと軸部３５とが嵌合する解除位置（図１６に実線で示す位置）と、第２保持部４２ｂと軸部３５とが嵌合するロック位置（図１０に実線で示す位置）との間でスライド可能である。
【００４１】
プッシュボタン６及びロック７は上記の通り樹脂成形品とすることができるが、少なくともいずれか一方の素材に蓄光材料を混ぜることにより、暗所で容器１の所在を把握できるようにしてもよい。プッシュボタン６やロック７が発光すれば暗所でも容器１の操作部分が容易に判別できる。プッシュボタン６やロック７は容器本体２や上蓋４と比して小型で体積が小さいため、蓄光材料の混入量は少なくて済み、蓄光材料を混ぜることによるコストの上昇を必要最小限に止めることができる。
【００４２】
以上のように構成されたプッシュボタン６及びロック７は、まずロック７をプッシュボタン６に装着し、その後にプッシュボタン６の支軸３１を容器本体２のボタン取付溝２５（図１（ｂ）及び図１０参照）に開口する不図示の軸受部に嵌め合わせることにより、支軸３１の回りに回転操作可能な状態で容器本体２に装着される。
【００４３】
次に、プッシュボタン６及びロック７の作用を説明する。図１０から明らかなように、プッシュボタン６をボタン取付溝２５に装着した状態においては、ばね部３２がボタン取付溝２５の底面２５ａに接触し、そのばね部３２の反発力（弾性変形に対する復元力）でプッシュボタン６が支軸３１を中心に図１０の時計方向に回転付勢される。従って、上蓋４を閉じた場合にはそのばね部３２の力でプッシュボタン６の爪部３３と上蓋４の爪部４ｈとが噛み合って上蓋４が閉じた状態に保持される。このときのプッシュボタン６の位置が閉位置に相当する。
【００４４】
上蓋４が閉じた状態でロック７をロック位置に押し込めば、ロック７の脚部４６がボタン取付溝２５の係止面２５ｂ（図１０）と当接する。従って、プッシュボタン６の操作面３０ａを押し込むことが不可能となり、爪部３３、４ｈの噛み合いを外すことはできない。しかも、ロック位置では、ロック７の係止部４４がプッシュボタン６から突出して上蓋４のロック孔４ｊに嵌合する。爪部３３、４ｈ同士の噛み合い量に比して係止部４４のロック孔４ｊに対する嵌合深さは十分に大きくとることができるので、仮に爪部３３、４ｈが外れるほどにプッシュボタン６又は上蓋４が弾性変形しても、上蓋４をロック７にて確実に閉じた位置に拘束することができる。
【００４５】
一方、ロック７をプッシュボタン６から抜き取り方向（図１０及び図１６の矢印Ｂ方向）に引き出して解除位置へ移動させると、係止部４４がロック孔４ｊから抜けるとともに脚部４６が係止面２５ｂから離れる。これによりプッシュボタン６の操作面３０ａを押し下げて爪部３３、４ｈの噛み合いを外し（この状態がプッシュボタン６の開位置に相当する。）、上蓋４を開くことができる。プッシュボタン６の押し上げ部３４は上蓋４の切欠４ｋと噛み合っており、プッシュボタン６の操作面３０ａを押し込んだ際に押し上げ部３４が上蓋４を持ち上げる。従って、上蓋４の閉鎖リブ４ｆと第２凹部２２の側壁２２ｂとの間にウェットティッシュ１０２が噛み込む等して上蓋４を開く際に比較的大きな抵抗が作用する場合でも上蓋４を確実に開くことができる。
【００４６】
なお、図１０に想像線で示すように、ロック７をプッシュボタン６から引き出したときにはストッパ４５の係止面４５ｃがプッシュボタン６の案内面３０ｂの段部３８と接触してロック７が抜け止めされる。ロック７の抜け止めをさらに確実にするため、図１４に想像線で示したように、ロック７の本体部４０の少なくとも一方の側縁にロック７の引き出し方向に向かって斜めに突出する爪部４７とその爪部４７を受入れる凹部４８とを形成し、ロック７を溝部３７に差し込む際に爪部４７を凹部４８内に弾性変形させ、溝部３７を通過した後に爪部４７を自身の復元力で開くようにしてもよい。
【００４７】
ロック７の指掛け部４１は操作面３０ａから突出しているので、ロック７をロック位置と解除位置との間でスライド操作する場合は勿論のこと、プッシュボタン６を押し下げて上蓋４を開く際にも指掛け部４１に指を添えて操作を行うことができる。上蓋４を開く際にはロック７が解除位置に引き出されて支軸３１から指掛け部４１までの距離が増加するので、テコの作用により上蓋４を開く際の操作力が軽減される。
【００４８】
ロック７の本体部４０がプッシュボタン６の溝部３７に差し込まれることにより、プッシュボタン６の押し下げ方向に関してロック７がプッシュボタン６に拘束（支持）されているので、指掛け部４１のみを押し下げてもロック７とプッシュボタン６とが離れることなく一体的に支軸３１の回りに回転し、上蓋４が確実に開放される。
【００４９】
以上の蓋付き容器１においては、図４及び図１０に示すように、指掛け部４１の上端が容器本体２の外面（天面２ａ）から突出している。梱包物１００を容器本体２に収納して容器１を製品として出荷する場合、容器１のくびれた中央部にシュリンクフィルムが巻き付けられることがある。シュリンクフィルムは熱収縮を利用して容器１の外面に比較的緊密に巻き付けられるため、仮にロック７を省略してプッシュボタン６の一部を容器本体２の外面から突出させた場合には、そのプッシュボタン６の突出部分がシュリンクフィルムによって押し込まれてばね部３２が幾らか撓んだ状態でプッシュボタン６が拘束される。このような状態が長時間継続されるとばね部３２のばね性能が劣化し、シュリンクフィルムを外した後には些細な衝撃でもプッシュボタン６が動いて上蓋４が意図せずに開放されることがある。しかし、本実施形態の容器１によれば、ロック７をロック位置に押し込んでプッシュボタン６の操作を爪部３３、４ｈが噛み合った閉位置に保持しておくことにより、シュリンクフィルムが巻かれてもプッシュボタン６が押し込まれることがなく、ばね部３２のばね性能が劣化するおそれがなくなる。
【００５０】
また、容器本体２及び底蓋３をくびれた形状に形成しているので、シュリンクフィルムの幅が容器本体２の膨らんだ部分に達するほどに大きければ、容器本体２の前後の側面２ｂ、２ｃにおいてフィルムが容器本体２から浮き上がり、プッシュボタン６やロック７がシュリンクフィルムから内側に離れることがある。この場合には、プッシュボタン６やロック７とシュリンクフィルムとの接触部分の擦れによる損傷が防がれる。
【００５１】
以上の実施形態で開示した容器本体２のくびれ形状、及びリング部１４はロック７が省略された蓋付き容器にも適用可能である。押し上げ部３４は操作部材に代えてロック７に設けることもできる。ばね部３２は弓形に限らず、片持ち梁状に形成されてもよい。プッシュボタン６及びロック７の形状は容器本体２の形状等に応じて適宜に変更してよい。プッシュボタン６及びロック７は、それぞれの全体が容器本体２の外面（天面２ａ、側面２ｂ）よりもボタン取付溝２５内に後退するように設けられてもよい。
【００５２】
上記の実施形態において、天面、底面、側面及び上蓋の語は、取出口を上向きにして容器を設置した場合を基準として各部の位置を相対的に特定したものに過ぎず、実際の使用時の各部の位置はこれらの用語によって限定されるものではない。例えば、本発明の蓋付き容器は、取出口を横向きにした状態で使用されてもよい。
【００５３】
本発明は上記の実施形態に限定されず、種々の形態にて実施されてよい。例えば、内容物はウエットティッシュに限定されない。本発明の蓋付き容器は、底蓋を取り外して内容物を着脱する構成に限定されず、内容物の着脱、詰め替えは適宜の形態で行ってよい。
【符号の説明】
【００５４】
１  蓋付き容器
２  容器本体
２ａ  容器本体の天面（容器の外面）
２ｂ〜２ｅ  容器本体の側面（容器の外面）
４  上蓋（蓋）
４ｈ  上蓋の爪部
４ｊ  ロック孔（ロック用凹部）
５  板ばね（蓋付勢手段）
６  プッシュボタン（操作部材）
７  ロック（ロック部材）
１０  取出口
１４  リング部（ストラップ取付部）
２５  ボタン取付溝
２５ａ  底面
２５ｂ  係止面
３０  本体部
３０ａ  操作面
３０ｂ  案内面
３２  ばね部
３３  プッシュボタン側の爪部
３４  押し上げ部
３５  軸部
３５ａ  スリット
３７  溝部
３８  段部
４０  本体部
４１  指掛け部
４２  溝部
４２ａ  第１保持部
４２ｂ  第２保持部
４３ａ、４３ｂ  爪部
４４  係止部
４５  ストッパ
４６  脚部
４７  爪部
４８  凹部
１０２  ウエットティッシュ（内容物）
１１０  ストラップ
【図１】
2011168341.tif 000003
【図２】
2011168341.tif 000004
【図３】
2011168341.tif 000005
【図４】
2011168341.tif 000006
【図５】
2011168341.tif 000007
【図６】
2011168341.tif 000008
【図７】
2011168341.tif 000009
【図８】
2011168341.tif 000010
【図９】
2011168341.tif 000011
【図１０】
2011168341.tif 000012
【図１１】
2011168341.tif 000013
【図１２】
2011168341.tif 000014
【図１３】
2011168341.tif 000015
【図１４】
2011168341.tif 000016
【図１５】
2011168341.tif 000017
【図１６】
2011168341.tif 000018
【図１７】
2011168341.tif 000019
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
内容物の取出口を有する容器本体と、前記取出口を開閉できるようにして前記容器本体に取り付けられた蓋と、前記容器本体と前記蓋との間に配置されて前記蓋を開く方向に付勢する蓋付勢手段と、前記蓋と噛み合って該蓋を前記蓋付勢手段に抗して閉じた状態に保持する閉位置と、前記蓋との噛み合いが解除される開位置との間で操作可能な状態で前記容器本体に取り付けられた操作部材と、を備えた蓋付き容器において、
前記操作部材には、前記閉じた状態の前記蓋を拘束するとともに、前記操作部材の操作方向と同一方向の移動が阻止されるように前記容器本体の係止面と当接して前記操作部材の前記閉位置から前記開位置への操作を不能とするロック位置と、前記閉じた状態の蓋及び前記容器本体の前記係止面のそれぞれから離れて前記操作部材の前記閉位置から前記開位置への操作を許容する解除位置との間で移動可能なロック部材が取り付けられ、
前記ロック部材は前記操作部材に設けられた操作面の裏面側にて前記ロック位置と前記解除位置との間を移動可能に設けられ、かつ前記操作部材は前記操作面を押し込むことによって前記閉位置から前記開位置へ移動するように設けられ、
前記操作部材の裏面側には、前記ロック部材と接する案内面が形成されるとともに前記案内面よりも突出して前記操作部材を前記閉位置に付勢するばね部が設けられ、前記ロック部材は前記ばね部に設けられた溝部に差し込まれることにより前記案内面に接しつつ前記ロック位置と前記解除位置との間をスライド可能に支持されていることを特徴とする蓋付き容器。
【請求項２】
前記操作部材の前記操作面は前記容器本体の外面側に露出していることを特徴とする請求項１に記載の蓋付き容器。
【請求項３】
前記ロック部材は前記操作面を押し込む方向と同一方向について前記操作部材に対する相対移動が阻止されるように前記操作部材にて支持された状態で前記ロック位置と前記解除位置との間を移動可能に設けられていることを特徴とする請求項２に記載の蓋付き容器。
【請求項４】
前記操作部材の前記溝部からの前記ロック部材の抜けを防止する抜け止め手段が設けられていることを特徴とする請求項１に記載の蓋付き容器。
【請求項５】
前記操作部材の裏面側にはスリットにて分割された軸部が設けられ、前記ロック部材には前記軸部と嵌合する溝部が前記操作部材の前記溝部に対する前記ロック部材の差し込み方向に開口するようにして形成され、前記溝部には前記抜け止め手段として当該溝部の幅を狭める爪部が設けられていることを特徴とする請求項４に記載の蓋付き容器。
【請求項６】
前記ロック部材の前記溝部は、前記爪部により、前記ロック部材が前記解除位置にあるときに前記軸部が嵌合する第１保持部と、前記ロック部材が前記ロック位置にあるときに前記軸部が嵌合する第２保持部とに区分されていることを特徴とする請求項５に記載の蓋付き容器。
【請求項７】
前記操作部材の裏面側には段部が設けられ、前記ロック部材の前記操作部材に対する対向面上には、前記抜け止め手段として、前記ロック部材を前記操作部材の前記溝部から抜き取る方向に関しては前記段部と係合可能であり、かつ前記ロック部材を前記操作部材の前記溝部に差し込む方向に関してはくさび状に延びている突起状のストッパが設けられていることを特徴とする請求項４に記載の蓋付き容器。
【請求項８】
前記ロック部材には、前記抜け止め手段として、前記操作部材の前記溝部からの当該ロック部材の抜き取り方向に向かうほど前記抜き取り方向に対する側方に突出する爪部が設けられていることを特徴とする請求項４に記載の蓋付き容器。
【請求項９】
前記ロック部材には、前記操作部材の前記溝部に対する抜き取り方向の端部に位置して前記操作面から突出する指掛け部が設けられていることを特徴とする請求項１〜８のいずれか１項に記載の蓋付き容器。
【請求項１０】
前記指掛け部が前記容器本体の外面よりも突出していることを特徴とする請求項９に記載の蓋付き容器。
【請求項１１】
前記容器本体は前記取出口側から見て中央がくびれた形状に形成され、そのくびれ部分に前記操作部材が配置されていることを特徴とする請求項１０に記載の蓋付き容器。
【請求項１２】
前記ロック部材の裏面側には、前記ロック位置のときに前記容器本体の前記係止面に当接する脚部が設けられていることを特徴とする請求項１〜８のいずれか１項に記載の蓋付き容器。
【請求項１３】
前記操作部材又は前記ロック部材には、前記操作部材を前記閉位置から前記開位置へ操作したときに前記蓋と接して当該蓋を開く方向に押し上げる押し上げ部が設けられていることを特徴とする請求項１〜１２のいずれか１項に記載の蓋付き容器。
【請求項１４】
前記容器本体にはストラップを取付け可能なストラップ取付部が設けられていることを特徴とする請求項１〜１３のいずれか１項に記載の蓋付き容器。
【請求項１５】
前記操作部材又は前記ロック部材の少なくともいずれか一方には蓄光材料が含まれていることを特徴とする請求項１〜１４のいずれか１項に記載の蓋付き容器。
【手続補正２】
【補正対象書類名】明細書
【補正対象項目名】００２０
【補正方法】削除
【補正の内容】